(57)【要約】【課題】入浴中に風呂リモコンを通して音楽を再生していた時に、使用者が再生を終了する動作を忘れてしまうと無制限に音楽が流れてしまい、電気代が無駄にかかってしまうことがあった。【解決手段】使用者が音楽再生を終了する動作を忘れてしまった時でも予め決められた一定時間または浴槽水の設定保温時間に基づいて音楽再生を終了するように制限しているので、音楽再生の終了し忘れによる電気代の消費を押さえることができる。また、設定保温時間が０時間である場合やシャワー等の浴槽をしない場合でも予め決められた固定時間音楽再生を可能にした使い勝手のよい音楽再生モードを行うことができる。【選択図】図４
2015098999.tif 000002
【特許請求の範囲】
【請求項１】
熱源によって加熱されることで浴槽内に貯められた浴槽水を加熱する風呂熱交換器と、前記浴槽と前記風呂熱交換器とを配管で接続する風呂循環回路と、前記風呂循環回路に設置され前記浴槽内の浴槽水を前記風呂熱交換器へ流入する風呂循環ポンプと、前記風呂循環ポンプを駆動させ前記浴槽水を加熱する保温動作を行わせる制御装置と、オーディオ信号を変調して送信する変調手段と音楽再生装置を接続するためのジャックを設けた台所リモコンと、前記台所リモコンから送られてきた変調されたオーディオ信号を受信して復調する復調手段を設けた風呂リモコンとを備えた給湯装置において、前記ジャックを介して入力されたオーディオ信号を前記台所リモコンの変調手段および前記風呂リモコンの復調手段を用いて前記風呂リモコンに前記音楽再生装置の音楽を再生出力する音楽再生モードを一定時間に制限するとともに、この一定時間が経過すると音楽再生モードを終了するようにしたことを特徴とする給湯装置。
【請求項２】
前記一定時間は、前記浴槽水の保温時間に基づいて決定されることを特徴とする請求項１記載の給湯装置。
【請求項３】
前記浴槽水の保温時間がない設定がされている場合は、前記一定時間を予め定められた固定時間とすることを特徴とする請求項２記載の給湯装置。
【発明の詳細な説明】
【技術分野】
【０００１】
本発明は、給湯装置に備えられた複数のリモコン装置間でオーディオ信号を送受信したものに関するものである。
【背景技術】
【０００２】
従来より、入浴中に音楽を聞く際は音楽再生機器から出力されたオーディオ信号を台所リモコンに設けた入力手段を介して取り込み、台所リモコンの変調手段で変調されたオーディオ信号を風呂リモコンに伝送し、風呂リモコンに設けられた復調手段によってオーディオ信号を復調し、オーディオ信号を台所リモコンのスピーカーを利用して音楽を再生していたものであり、音楽再生の操作を開始した後は、再生を終了させる操作がなされるまでは音楽再生が無制限に継続されるものがあった。（特許文献１）
【０００３】
また、浴槽の水位を検出する水位センサを設けて、人が入浴して水位が上昇するのに応じて、風呂リモコンのスピーカーを利用して音楽を再生し、人が浴槽内から出て水位が下降すると音楽再生を終了するようにしていたものがあった。（特許文献２）
【先行技術文献】
【特許文献】
【０００４】
【特許文献１】特開２００９−２８７８５８号公報
【特許文献２】特許２９２８５８０号公報
【発明の概要】
【発明が解決しようとする課題】
【０００５】
しかし、特許文献１のようなものでは、音楽再生の操作を開始した後、音楽再生を終了させる操作がなされるまでは音楽再生が無制限に継続されてしまうので、終了の操作を忘れてしまうと無制限に音楽再生がされるという問題がある。
【０００６】
また、前記特許文献２のようなものでは、シャワーや身体を洗っている時など浴槽の水位センサでは検知できない場合においては、音楽を聞きたい時でも音楽再生が中断してしまうという問題があった。
【課題を解決するための手段】
【０００７】
本発明は上記課題を解決するため、熱源によって加熱されることで浴槽内に貯められた浴槽水を加熱する風呂熱交換器と、前記浴槽と前記風呂熱交換器とを配管で接続する風呂循環回路と、前記風呂循環回路に設置され前記浴槽内の浴槽水を前記風呂熱交換器へ流入する風呂循環ポンプと、前記風呂循環ポンプを駆動させ前記浴槽水を加熱する保温動作を行わせる制御装置と、前記制御装置を介してつないでいるオーディオ信号を変調して送信する変調手段と音楽再生装置から出力されるオーディオ信号を接続するためのジャックを設けた台所リモコンと、前記台所リモコンから送られてきた変調されたオーディオ信号を受信して復調する復調手段を設けた風呂リモコンと、を備えた給湯装置において、前記ジャックを介して接続されたオーディオ信号を前記台所リモコンの変調手段および前記風呂リモコンの復調手段を用いて風呂リモコンに前記音楽再生装置の音楽を再生出力する音楽再生モードを一定時間に制限するとともに、この一定時間が経過すると音楽再生モードを終了するようにした。
【０００８】
また、前記一定時間は、前記浴槽水の保温時間に基づいて決定されるようにした。
【０００９】
また、前記浴槽水の保温時間がない設定がされている場合は、前記一定時間を予め定められた固定時間とするようにした。
【発明の効果】
【００１０】
このように本発明によれば、入浴中に風呂リモコンを通して音楽を再生していた時に、使用者が音楽再生を終了する動作を忘れてしまった時でも予め決められた一定時間または浴槽水の保温時間に基づいて音楽再生を終了するように制限しているので、音楽再生の終了し忘れによる電気代の消費を押さえることができる。
【図面の簡単な説明】
【００１１】
【図１】本発明の第１実施形態の給湯装置の概略構成図
【図２】本発明の第１実施形態の給湯装置の制御を説明するブロック構成図
【図３】本発明の第１実施形態を説明するためのフローチャート図
【図４】本発明の第２実施形態を説明するためのフローチャート図
【発明を実施するための形態】
【００１２】
本発明のヒートポンプ貯湯式給湯装置の第一実施形態を図１に基づいて説明する。
１は湯水を貯湯する貯湯タンク、２は貯湯タンク１の下部に接続された給水管、３は貯湯タンク１の上部に接続された給湯管、４は貯湯タンク１内の湯水を加熱するヒートポンプ式加熱手段、５は貯湯タンク１下部とヒートポンプ式加熱手段４と貯湯タンク１上部とを貯湯タンク１内の湯水が循環可能に接続するヒートポンプ循環回路である。また、図示しないがヒートポンプ循環回路５の途中に設けられたヒートポンプ循環ポンプによって、貯湯タンク１とヒートポンプ式加熱手段４内の湯水を循環させている。
【００１３】
６は給水管２の途中で分岐する給水バイパス管、７は給湯管３を流れる湯水と給水バイパス管２を流れる市水を適宜の比率で混合して給湯設定温度あるいは風呂設定温度に調整する混合弁、８は混合弁７によって混合された湯水の温度を検出する混合温度センサである。
【００１４】
９は貯湯タンク１上部内の高温水と熱交換する風呂熱交換器、１０は浴槽、１１は風呂熱交換器９と浴槽１０を湯水が循環可能に接続する風呂循環回路、１２は風呂循環回路１１の途中に設けられた風呂循環ポンプである。
【００１５】
１３は浴槽水の温度を検出する風呂温度センサ、１４は弁を開閉して浴槽１０への湯張り開始および停止を行う湯張り電磁弁、１５は配管内を流動する湯水の流量から浴槽１０への湯張り量を検出する湯張り流量センサ、１６はマイコン等からなる各センサの出力に基づいて所定の演算を行い機器の運転を制御する制御装置である。
【００１６】
１７は浴室に設置され使用者が操作することで各種の設定ができる操作部を有した風呂リモコン、１８は風呂設定温度の湯水を風呂設定湯量まで浴槽へ湯張りし、風呂設定温度であらかじめ設定した設定保温時間（ここでは０時間から２時間）の間保温をする風呂自動運転を行わせる自動運転スイッチ、１９は浴室内で発生した声等の音を集音動作可能な音検出手段としての風呂マイク、２０は浴槽１０へ流入する湯水の風呂設定温度を音声で報知する風呂スピーカー、２１は給湯設定温度や時刻などを表示する状態表示部である。
【００１７】
２２は台所に設置され使用者が操作することで各種の設定ができる操作部を有した台所リモコン、２３は風呂設定温度の湯水を風呂設定湯量まで浴槽へ湯張りし、予め設定した風呂設定温度で、使用者が自由に設定変更可能な設定保温時間（ここでは０時間から２時間）の間保温をする風呂自動運転を行わせる自動運転スイッチ、２４は台所内で発生した声等の音を集音動作可能な音検出手段としての台所マイク、２５は浴槽１０へ流入する湯水の風呂設定温度を音声で報知する台所スピーカー、２６は給湯設定温度や時刻などを表示する状態表示部、２７は音楽を複数記録しておき好きな時に好きな音楽を流す事ができるポータブル音楽プレーヤ−等の音楽再生装置、２8は音楽再生装置２７から出されたオーディオ信号をオーディオケーブルを用いて台所リモコン２２に接続するためのジャックである。
【００１８】
次に、風呂自動運転について説明する。
自動運転スイッチ１８もしくは２３による風呂自動運転要求があると湯張り電磁弁１４を開状態にし、混合温度センサ８で検出された湯水の温度が風呂設定温度になるように混合弁７の弁開度を調節し、湯張りを行う。そして、湯張り流量センサ１５で検出された湯張り量が風呂設定湯量になると湯張り電磁弁１４を閉止して、湯張りを完了する。
【００１９】
湯張りが完了されてからの保温動作にについて説明する。
湯張りが完了してから所定の時間（ここでは２０分）経過すると風呂循環ポンプ１２が駆動し、浴槽水が風呂循環回路１１内を通り、貯湯タンク１上部内の高温水と熱交換する風呂熱交換器９へと循環して浴槽水を加熱し、風呂温度センサ１３で検出される温度が風呂設定温度に到達するまで加熱する保温動作を前記所定の時間毎に繰り返し行うようにしている。その後、所定の設定保温時間（ここでは２時間）が経過すると保温動作をやめ、風呂自動運転を終了させる。また、設定保温時間を０であった場合は湯張りが完了したときに保温動作を行わないで風呂自動運転を終了させるようにしている。
【００２０】
次に本発明のヒートポンプ貯湯式給湯装置の第一実施形態のブロック構成図について図２に基づいて説明する。
風呂リモコン１７内の１９は風呂マイク、２０は風呂スピーカー、２１は状態表示部、２９は風呂マイク１９で検出した音を台所リモコン２１に送れるように変調させる変調手段、３０は台所リモコン２２から変調されて送られてきた音声信号を再び音声に復調する復調手段、３１は風呂リモコン１７の制御を行うマイコン、３２は制御装置１６や台所リモコン２２と制御データの通信を行うための制御データ通信手段で、風呂設定温度変更指示やその他の動作指示を制御装置１６に送信し、現在の風呂温度データや作動状態データ等を受信する。
【００２１】
台所リモコン２２内の２４は台所マイク、２５は台所スピーカー、２６は状態表示部、３３は台所マイク２４で検出した音を風呂リモコン１７に送れるように変調させる変調手段、３４は風呂リモコン１７から変調されて送られてきた音声信号を再び音声に復調する復調手段、３５は台所リモコン２１の制御を行うマイコン、３６は制御装置１６や台所リモコン２２と制御データの通信を行うための制御データ通信手段で、風呂設定温度変更指示やその他の動作指示を制御装置１６に送信し、現在の風呂温度データや作動状態データ等を受信する。
【００２２】
制御装置１６内の３７は風呂リモコン１７や台所リモコン２２と制御データの通信を行うための制御データ通信手段、３８は沸き上げ制御や給湯温度制御などの制御を行うマイコン、３９は風呂リモコン１７および台所リモコン２２の電源を供給するための電源供給手段である。
【００２３】
次に、風呂リモコン１７と台所リモコン２２間でのインターホン通話動作について説明する。
風呂リモコン１７から通話を開始する場合、風呂リモコン１７にある図示しない通話スイッチを押すと、通話開始データを含む制御データを、制御データ通信手段３２を介して送信すると共に、変調手段２９を作動し風呂マイク１９で拾った音声を変調することで、台所リモコンに送信できるようにして送信開始する。その時、状態表示部２１にインターホン通話状態であるという旨の表示を行う。
【００２４】
そして、通話開始データを含む制御データを制御データ通信手段３６を介して受信した台所リモコン２２は状態表示部２６にインターホン通話状態であるという旨の表示を行い、さらに復調手段３３を駆動させて、風呂リモコン１７から送られてきた変調された音声信号を台所リモコン２２のスピーカー２５で再生可能になるように復調手段３４で復調をし、復調された音声を台所スピーカー２５で流す事で、風呂リモコン１７との通話を可能にするようにしている。また、台所リモコン２２側からの通話も反対の動作を行うことで台所リモコン２２からの風呂リモコン１７に音声を送ることができる。
【００２５】
その後、台所リモコン２２または風呂リモコン１７のどちらかの図示しない通話スイッチを押すことで、通話終了データを含む制御データが前述した経路で送受され、通話状態が終了し、台所リモコン２２と風呂リモコン１７の状態表示部２１と２６のインターホン通話状態の表示が消え、給湯温度等を表示する通常の表示状態に戻るようにしている。
【００２６】
次に、風呂リモコン１７に音楽再生装置２７からの音楽を流す音楽再生モードについて説明する。
台所リモコン２２のジャック２８にオーディオケーブルを介して音楽再生装置２７をつながれたことをマイコン３５が認識すると音楽再生開始データを含む制御データを制御データ通信手段３６を介して送信すると共に、変調手段３３を作動し音楽再生装置２７から流れる音楽を変調することで、風呂リモコン１７に送信できるようにし、状態表示部２１に音楽再生モードであるという旨の表示をしてから送信開始し、音楽再生開始データを含む制御データを制御データ通信手段３２を介して受信した風呂リモコン１７は状態表示部２６に音楽再生状態であるという旨の表示を行い、さらに復調手段３０を駆動させて、台所リモコン２２から送られてきた変調された音声信号を風呂スピーカー２０で再生可能になるように復調手段３０で復調をし、復調された音楽を風呂スピーカー２０で流す事で、音楽再生装置２５の音楽を再生可能にするようにしている。そして、音楽再生モードを終了する際は、台所リモコン２２につながれた音楽再生装置２７をジャック２８から取り外すことで、音楽再生が終了し、状態表示部２１および２６の音楽再生モードである表示が消え、給湯温度等を表示する通常の表示状態に戻るようにしている。
【００２７】
ここで、風呂リモコン１７に音楽再生装置２７からの音楽を流す音楽再生モードを図３に示すフローチャートに基づいて第１実施形態の作動について詳しく説明する。
【００２８】
台所リモコン２２のジャック２８にオーディオケーブルを介して音楽再生装置２７をつなぐと（ステップＳ１）、風呂リモコン１７は音楽再生開始データを台所リモコン２２から受け取り、風呂リモコン１７の音楽再生が開始され（ステップＳ２）、状態表示部２１と２６に音楽再生モードであるという旨の表示をする。風呂リモコン１７内のマイコン３１は音楽再生時間を所定の期間（ここでは１２０分とする）と設定し（ステップＳ３）、１２０分間音楽を再生する。そして、１２０分経過すると（ステップＳ４）、音楽再生終了データを含む制御データが風呂リモコン１７と台所リモコン２２間で送受され、音楽再生を終了し（ステップＳ５）、状態表示部２１と２６の音楽再生モードであるという旨の表示が消え、給湯温度等を表示する通常の表示状態に戻るようにしている。
【００２９】
このように、マイコン３１が音楽再生時間を１２０分に制限しているので、音楽再生の終了し忘れによる電気代の無駄をなくすと共に、シャワー等の湯船を利用しない状態でも問題なく音楽をきいていられることを可能にした使い勝手の良い音楽再生制御をおこなう事ができる。
【００３０】
次に、図４に示すフローチャートに基づいて第２実施形態の作動を詳しく説明する。ここで、第１実施形態と同一のものは同一の符号を付してその説明を省略する。
【００３１】
台所リモコン２２のジャック２８にオーディオケーブルを介して音楽再生装置２７をつなぐと（ステップＳ６）、風呂リモコン１７は音楽再生開始データを台所リモコン２２から受け取り、風呂リモコン１７の音楽再生が開始され（ステップＳ７）、状態表示部２１と２６に音楽再生モードであるという旨の表示をする。
【００３２】
風呂自動運転に設定されているかと（ステップＳ８）、設定保温時間が０時間以外に設定されているかを判断し（ステップＳ９）、どちらも設定されている場合は、音楽再生時間を風呂自動運転の設定保温時間の残り時間に設定する（ステップＳ１０）。ここで、設定保温時間の残り時間とは、風呂自動運転の開始からの経過時間を設定保温時間から減算した時間を風呂自動運転の開始時は設定保温時間と一致するものである。
【００３３】
もし風呂自動運転と設定保温時間のどちらか片方でも設定されていなかった場合は音楽再生時間を予め定められた固定時間である１２０分に設定する（ステップＳ１１）。１２０分が経過する前に自動運転スイッチ１８もしくは２３が押された場合は（ステップＳ１２）、音楽再生時間を設定保温時間の残り時間に再設定し（ステップＳ１０）、自動運転スイッチ１８もしくは２３が押されずに１２０分が経過してしまった場合は（ステップＳ１３）、音楽再生終了データを含む制御データが風呂リモコン１７と台所リモコン２２間で送受され、音楽再生モードを終了し（ステップＳ１９）、状態表示部２１と２６の音楽再生モードであるという旨の表示が消え、給湯温度等を表示する通常の表示状態に戻るようにしている。
【００３４】
また、前記ステップＳ１０で音楽再生時間を設定保温時間に設定した場合は、保温期間終了の１０分前になると（ステップＳ１４）、音楽再生時間を延長するかの選択肢（例えば、延長時間を０分、１５分、３０分、４５分）を使用者が選択する（ステップＳ１５）。音楽再生時間を延長した場合は、音楽再生時間を設定保温時間の残り時間と延長時間を足した時間に再設定する（ステップＳ１６）。そして、設定保温時間の残り時間と延長時間を足した時間が経過すると（ステップＳ１７）、音楽再生終了データを含む制御データが風呂リモコン１７と台所リモコン２２間で送受され、音楽再生モードを終了し（ステップＳ１９）、状態表示部２１と２６の音楽再生モードであるという旨の表示が消え、給湯温度等を表示する通常の表示状態に戻るようにしている。
【００３５】
また、前記ステップＳ１５で音楽再生時間を延長しなかった場合は、設定保温時間を経過すると（ステップＳ１８）、音楽再生終了データを含む制御データが風呂リモコン１７と台所リモコン２２間で送受され、音楽再生モードを終了し（ステップＳ１９）、状態表示部２１と２６の音楽再生モードであるという旨の表示が消え、給湯温度等を表示する通常の表示状態に戻るようにしている。
【００３６】
なお、風呂自動運転中の音楽再生モードの途中で自動運転スイッチ１８もしくは２３が押され、風呂自動運転が停止された場合は、音楽再生モードを終了し、状態表示部２１と２６の音楽再生モードであるという旨の表示が消え、給湯温度等を表示する通常の表示状態に戻るようにしている。
【００３７】
このように、音楽再生時間を設定保温時間に基づいて定められているため、長時間の入浴でも入浴途中に音楽再生モードが終了してしまうような事はなく、風呂自動運転または設定保温時間が終了すると自動的に音楽再生モードが終了するので、音楽再生モードのし忘れを防ぐことができる。また、シャワー浴びるだけ等の風呂自動運転を使用しない場合においても１２０分で自動的に音楽再生モードが終了するので、音楽再生のし忘れを防ぐことができる使い勝手の良い音楽再生制御を行うことができる。
【００３８】
また、音楽再生モード終了前に表示される音楽再生モードを延長するか選択することで音楽再生時間を延長することができ、風呂自動運転または設定保温時間が終了した後も使用者の入浴時間に応じて延長して音楽を聞くことができる使い勝手の良い音楽再生制御を行うことができる。
【００３９】
なお、本発明は第１実施形態に限定されるものではなく、要旨を変更しない範囲で改変する事を妨げるものではなく、例えば、ジャック２８に挿入すると音楽再生モードに切り替えられ、音楽再生モードを開始してから一定時間経過したら音楽再生モードが終了となっているが、使用者がリモコンを所定の操作（図示されていない通話スイッチの長押し等）することによって音楽再生モードへの切り替えを行っても良いものである。また、音楽再生モードにしてからの一定時間を１２０分で表記しているが、これは一例であり、使用者が任意に決められるようにしても良い。そして、音楽再生モードの音楽再生時間の終了を制限しているのはマイコン３１で表記しているが、マイコン３５およびマイコン３８でも同様な制限を行うことができる。
【００４０】
また、第１、第２の実施形態では、例として、ヒートポンプ貯湯式給湯装置を例にあげたが、他にもガスや灯油のバーナを熱源とした燃焼式の給湯装置等でも良いものである。
【符号の説明】
【００４１】
９    風呂熱交換器
１０  浴槽
１１  風呂循環回路
１２  風呂循環ポンプ
１６  制御装置
１７  風呂リモコン
２２  台所リモコン
２８  ジャック
【図１】
2015098999.tif 000003
【図２】
2015098999.tif 000004
【図３】
2015098999.tif 000005
【図４】
2015098999.tif 000006